(57)【要約】【課題】着脱自在に接続される外部除湿機を利用した乾燥機能を有し、簡潔な構造で使い勝手も良く、製品価格もランニングコストも安価な洗濯乾燥機を得る。【解決手段】洗濯乾燥機１００は、乾燥行程時に洗濯脱水槽内に温風を供給する衣類乾燥手段（ファンモータと、ヒータと、これを覆うケーシング）を有し、水槽２の戻り風路４０の側面には風路口４１が設けられ、風路口４１に接続ダクト４９が接続されている。接続ダクト４９は、筐体１の側面に設けられた筐体口４２を貫通して、外部除湿機５０の接続口５１に接続自在である。外部除湿機５０内の風路は単体運転における通常吹出し口に向けて除湿風が吹出す風路と、接続口５１に向けて除湿風が吹出す風路と、の２風路構成になっている。筺体１の側面にはコンセント５２が装備され、外部除湿機５０のプラグ５４を差し込んで電源供給することができる。【選択図】図３
2008302020.tif 000002
【特許請求の範囲】
【請求項１】
筐体と、
該筐体内に回転自在に収納され、投入された衣類を洗濯および脱水するための洗濯兼脱水槽と、
前記衣類を乾燥するため空気を送り出す送風手段を具備する衣類乾燥手段と、
前記洗濯兼脱水槽から排気された空気を前記衣類乾燥手段を経由して再び前記洗濯兼脱水槽内に吹き込むための循環風路と、
前記循環風路に設置された風路口に連通し、前記筐体に設置された筐体口を貫通自在な接続ダクトと、を有し、
前記接続ダクトが接続自在な接続口を具備する外部除湿機の前記接続口に前記接続ダクトが接続された状態で、前記接続ダクトを介して、前記外部除湿機から前記洗濯兼脱水槽内に低湿度の空気が吹き込まれることを特徴とする洗濯乾燥機。
【請求項２】
筐体と、
該筐体内に回転自在に収納され、投入された衣類を洗濯および脱水するための洗濯兼脱水槽と、
前記衣類を乾燥するため空気を加熱する空気加熱手段および該加熱された空気を送り出す送風手段を具備する衣類乾燥手段と、
前記洗濯兼脱水槽から排気された空気を前記衣類乾燥手段を経由して再び前記洗濯兼脱水槽内に吹き込むための循環風路と、
前記循環風路に設置された風路口に連通し、前記筐体に設置された筐体口を貫通自在な接続ダクトと、を有し、
前記接続ダクトが接続自在な接続口を具備する外部除湿機の前記接続口に前記接続ダクトが接続された状態で、前記接続ダクトを介して、前記外部除湿機から前記洗濯兼脱水槽内に低湿度の空気が吹き込まれ、該吹き込まれた低湿度の空気が前記空気加熱手段によって加熱されることを特徴とする洗濯乾燥機。
【請求項３】
筐体と、
該筐体内に回転自在に収納され、投入された衣類を洗濯および脱水するための洗濯兼脱水槽と、
前記洗濯兼脱水槽に設置された排気口と、
前記排気風路口に連通し、前記筐体に設置された筐体口を貫通自在な接続ダクトと、を有し、
前記接続ダクトが接続自在な接続口を具備する外部除湿機の前記接続口に前記接続ダクトが接続された状態で、前記接続ダクトを介して、前記外部除湿機から前記洗濯兼脱水槽内に低湿度の空気が吹き込まれて前記衣類の乾燥が実行されると共に、前記排気口から排出される空気の温湿度が前記外部除湿機によって検知され、
該検知された温湿度の値に応じて前記衣類の乾燥を終了させることを特徴とする洗濯乾燥機。
【請求項４】
筐体と、
該筐体内に回転自在に収納され、投入された衣類を洗濯および脱水するための洗濯兼脱水槽と、
前記衣類を乾燥するため空気を加熱する空気加熱手段および該加熱された空気を送り出す送風手段を具備する衣類乾燥手段と、
前記洗濯兼脱水槽から排気された空気を前記衣類乾燥手段を経由して再び前記洗濯兼脱水槽内に吹き込むための循環風路と、
前記循環風路に設置された風路口に連通し、前記筐体に設置された筐体口を貫通自在な接続ダクトと、
前記洗濯兼脱水槽に設置された排気口と、
を有し、
前記接続ダクトが接続自在な接続口を具備する外部除湿機の前記接続口に前記接続ダクトが接続された状態で、前記接続ダクトを介して、前記外部除湿機から前記洗濯兼脱水槽内に低湿度の空気が吹き込まれ、該吹き込まれた低湿度の空気が前記空気加熱手段によって加熱されて前記洗濯兼脱水槽内に吹き込まれて前記衣類の乾燥が実行されると共に、前記排気口から排出される空気の温湿度が前記外部除湿機によって検知され、
該検知された温湿度の値に応じて前記衣類の乾燥を終了させることを特徴とする洗濯乾燥機。
【請求項５】
筐体と、
該筐体内に回転自在に収納され、投入された衣類を洗濯および脱水するための洗濯兼脱水槽と、
該洗濯兼脱水槽に設置された排水弁を具備する排水管と、
該排水管の前記排水弁よりも前記洗濯兼脱水槽寄りに設置された排水管口に連通し、前記筐体に設置された筐体口を貫通自在な接続ダクトと、を有し、
前記接続ダクトが接続自在な接続口を具備する外部除湿機の前記接続口に前記接続ダクトが接続された状態で、前記接続ダクトを介して、前記外部除湿機から前記洗濯兼脱水槽内に低湿度の空気が吹き込まれることを特徴とする洗濯乾燥機。
【請求項６】
筐体と、
該筐体内に回転自在に収納され、投入された衣類を洗濯および脱水するための洗濯兼脱水槽と、
該洗濯兼脱水槽に設置された排水弁を具備する排水管と、
該排水管の前記排水弁よりも前記洗濯兼脱水槽寄りに設置された排水管口に連通し、前記筐体に設置された筐体口を貫通自在な接続ダクトと、
前記洗濯兼脱水槽に設置された排気口と、
を有し、
前記接続ダクトが接続自在な接続口を具備する外部除湿機の前記接続口に前記接続ダクトが接続された状態で、前記接続ダクトを介して、前記外部除湿機から前記洗濯兼脱水槽内に低湿度の空気が吹き込まれて前記衣類の乾燥が実行されると共に、前記排気口から排出される空気の温湿度が前記外部除湿機によって検知され、
該検知された温湿度の値に応じて前記衣類の乾燥を終了させることを特徴とする洗濯乾燥機。
【請求項７】
前記外部除湿機に電気を供給する電源供給手段を有し、
前記接続ダクトが前記接続口から離脱した際、前記電源供給手段が電気の供給を停止することを特徴とする請求項１乃至６の何れかに記載の洗濯乾燥機。
【請求項８】
前記外部除湿機に電気を供給する電源供給手段を有し、
前記外部除湿機の貯水タンクが満水になった際、前記電源供給手段が電気の供給を停止することを特徴とする請求項１乃至７の何れかに記載の洗濯乾燥機。
【請求項９】
前記接続ダクトの全長が前記筺体内に収容され、かつ、前記接続ダクトの一部が前記筐体の外部に突出自在であることを特徴とする請求項１乃至８の何れかに記載の洗濯乾燥機。
【請求項１０】
前記接続ダクトを開閉する蓋が、前記筐体に離脱不能に設置されていることを特徴とする請求項１乃至９の何れかに記載の洗濯乾燥機。
【請求項１１】
前記接続ダクトが前記風路口に着脱自在に設置されていることを特徴とする請求項１、２または４の何れかに記載の洗濯乾燥機。
【請求項１２】
前記接続ダクトが前記水槽口に着脱自在に設置されていることを特徴とする請求項３記載の洗濯乾燥機。
【請求項１３】
前記接続ダクトが前記排水管口に着脱自在に設置されていることを特徴とする請求項５または６記載の洗濯乾燥機。
【請求項１４】
前記筺体の上面にトップカバーが設置され、
該トップカバーに前記筐体口が形成されてなることを特徴とする請求項１乃至１３の何れかに記載の洗濯乾燥機。
【請求項１５】
前記洗濯兼脱水槽が前記筐体内に傾動自在に収納されてなることを特徴とする請求項１乃至１４の何れかに記載の洗濯乾燥機。
【発明の詳細な説明】
【技術分野】
【０００１】
この発明は洗濯乾燥機、とくに洗濯乾燥機との連動機能を有する外部除湿機による乾燥が可能な洗濯乾燥機に関するものである。
【背景技術】
【０００２】
近年、全自動洗濯機（以下、「洗濯乾燥機」と称す）には洗濯機能だけでなく、洗濯物を乾燥させる乾燥機能を備えた洗濯乾燥機が一般的になってきている。すなわち、かかる洗濯乾燥機は、筺体内に支持した水槽と、回転自在に支持され被乾燥物を収納する回転ドラムと、その駆動手段と、回転ドラム内部に加熱した空気を送風するための送風ファンと、ヒートポンプユニットと前記水槽とを接続して風路を形成する伸縮自在なホースと、を備え、乾燥のための空気を加熱する加熱装置として、ヒータやヒートポンプユニット（圧縮機、凝縮器、蒸発器、絞り手段からなる）を利用している。
このとき、加熱装置を洗濯乾燥機内に設置する発明が開示されている（例えば、特許文献１、２）。
また、洗濯乾燥機と外部に備えられた加熱装置（以下。「外部除湿器」と称す）とをダクトで接続し、外部から加熱空気を吹き込む発明が開示されている（例えば、特許文献３）。
【０００３】
【特許文献１】特開２００６−２０４７０８号公報（第４−６頁、図１）
【特許文献２】特開２００６−１５００９５号公報（第５−８頁、図１）
【特許文献３】特開２０００−２７９６８３号公報（第４−５頁、図１）
【発明の開示】
【発明が解決しようとする課題】
【０００４】
特許文献１、２に開示された洗濯乾燥機は、１台で洗濯から乾燥まで実施できるので使い勝手が良いともいえるが、複雑な構成かつ重いヒートポンプユニットを備えているので、機体そのものが大きく、重いものとなってしまう。また、製造工程も複雑であるのでコストも高くなり、ユーザにとっても高価な製品になってしまう。
さらに、洗濯時に乾燥まで行う頻度は少なく、洗濯工程で終了することの方が一般的には多いので、加熱装置の稼働効率はよくない。
【０００５】
また、特許文献３に開示された洗濯乾燥機は、別体の専用の外部除湿器を有するものであるため、外付けされて衣類を乾燥する場合以外には、使い道が無く、洗濯乾燥機本体とダクトの収納が不便である。
また、ドライヤーやふとん乾燥機などの乾燥機器製品はヒータ式であるため、これを外部除湿器として接続したのでは消費電力も高くランニングコストが高くなる。
さらに、電気的に供給しているのは電源だけであり、洗濯乾燥機側の情報に基づいて制御するだけであるため、外部除湿器側の情報を収集して制御することは不可能であった。
【０００６】
この発明は、上記のような課題を解決するためになされたもので、着脱自在に接続される外部除湿機を利用した乾燥機能を有し、簡潔な構造で使い勝手も良く、製品価格もランニングコストも安価な洗濯乾燥機を得ることを目的とする。
【課題を解決するための手段】
【０００７】
本発明に係る洗濯乾燥機は、筐体と、
該筐体内に回転自在に収納され、投入された衣類を洗濯および脱水するための洗濯兼脱水槽と、
前記衣類を乾燥するため空気を送り出す送風手段を具備する衣類乾燥手段と、
前記洗濯兼脱水槽から排気された空気を前記衣類乾燥手段を経由して再び前記洗濯兼脱水槽内に吹き込むための循環風路と、
前記循環風路に設置された風路口に連通し、前記筐体に設置された筐体口を貫通自在な接続ダクトと、を有し、
前記接続ダクトが接続自在な接続口を具備する外部除湿機の前記接続口に前記接続ダクトが接続された状態で、前記接続ダクトを介して、前記外部除湿機から前記洗濯兼脱水槽内に低湿度の空気が吹き込まれることを特徴とするものである。
【０００８】
なお、本発明において「洗濯兼脱水槽」とは、洗濯、脱水および乾燥に供するものであるため「洗濯兼脱水兼乾燥室」に同じである。また、「衣類」とは、「衣服」に限定するものではなく、毛布等の寝具、タオルやカーテン等の日用品を含むものであって、布製品や繊維製品さらに皮革製品や合成樹脂製品をも含むものである。
【発明の効果】
【０００９】
したがって、本発明に係る洗濯乾燥機は、着脱自在に連結される外部除湿機を利用して衣類の乾燥を行うことで、洗濯乾燥機そのものが大型化せず、重量も軽くでき、製品価格、ランニングコストを安価に抑えることができる。
また、洗濯乾燥機に接続されないときは、外部除湿機の本来通りの使用ができるため、合理的である。また、洗濯乾燥機に湿度センサを備えていない場合でも、外部除湿機に設置されたセンサを利用すれば、精度の高い制御を行うことができる。
さらに、外部除湿機にヒートポンプユニット（コンプレッサー式に同じ）を使用すればヒータ方式の洗濯乾燥機よりも消費電力が少なくてすむ。
【発明を実施するための最良の形態】
【００１０】
[実施の形態１：循環風路型]
図１〜図５は本発明の実施の形態１に係る洗濯乾燥機を模式的に説明するものであって、図１は横断面図、図２は正面断面拡大図、図３は洗濯機外部除湿機連動概略図、図４は洗濯乾燥機と外部除湿機の連動運転を説明するフローチャート、図５は各部品の動きを表したタイムチャートである。
【００１１】
図１において、洗濯乾燥機１００は、筺体１内に水槽２が吊棒３を介して設置されている。水槽２の中には、底部に衣類を攪拌するパルセータ４を設けた洗濯兼脱水槽５が回転自在に設置され、洗濯兼脱水槽５の上部の開口面にバランサー６が取り付けてあり、バランサー６の上方を覆うように水槽カバー７が取り付けられている。また、水槽２の上部は衣類の投入口として開放されている。
【００１２】
水槽カバー７には洗濯兼脱水槽５内の密閉構造を形成する内蓋８が取り付けられ、また筺体１の上部背面には水槽カバー７を覆うように、外蓋９を設けたトップカバー１０が設置されている。トップカバー１０にはユーザが運転内容を設定したり、運転開始を指示したり、状態を表示するための操作パネル４８が設置されている。
水槽２の底部の下方にパルセータ４及び洗濯兼脱水槽５に連結されて回転駆動させるモータ１１が設けられている。  
また、洗濯兼脱水槽５の下側には排水口３１が設置され、その外側に排水ホース３０が連結され、排水口３１または排水ホース３０には排水弁３２が設けられている。
【００１３】
また、乾燥行程時に洗濯脱水槽内に温風を供給する衣類乾燥手段として、ファンモータ１５と、ヒータ１７と、覆うケーシングと、が水槽２の上部に設置されている。そして、前記ケーシングに一端を開口する送風ダクト１６を水槽の外壁に沿って立ち上げ、この送風ダクト１６の上端を水槽２の上部の開口縁に開口している。そして、前記ケーシング吐出口にヒータ１７が設置されている。
【００１４】
図２および図３において、水槽２の戻り風路４０の側面には風路口４１が設けられ、中に信号線（図示せず）を備えた接続ダクト４９が風路口４１に接続されている。接続ダクト４９は、筐体１の側面に設けられた筐体口４２を貫通して、外部除湿機５０の接続口５１に接続できるようになっている。
また筺体１の側面にはコンセント５２が装備され、外部除湿機５０のプラグ５４を差し込んで電源供給することができるようになっている。
なお、外部除湿機５０内の風路は単体運転における通常吹出し口に向けて除湿風が吹出す風路と、これとは別に接続口５１に向けて除湿風が吹出す風路と、の２風路構成になっている（図示しない）。また、外部除湿機５０は、洗濯乾燥機１００に接続されるための機能として、接続口５１と専用操作を可能とした操作パネル５３を供えているが、洗濯乾燥機１００と接続されていないときには単独での外部除湿機としての使用が可能である。
【００１５】
次に、上記のように構成した洗濯乾燥機１００により洗濯から乾燥までを行う場合の作用について図４および図５を用いて説明する。また、図１１に制御系の構成をブロック線図にて示す。
ユーザは図３に示すように洗濯乾燥機１００に設けられたコンセントに外部除湿機５０のプラグ５４を差し込み、洗濯乾燥機１００の接続ダクト４９は引き出して外部除湿機５０の接続口５１に挿入すると（Ｓ０１０）、洗濯乾燥機１００は接続ダクト４９が接続されたことを検知し（Ｓ０２０）、操作パネル４８に連動運転モードの表示を行い、外部除湿機連動洗濯待機状態になる（Ｓ０３０）。一方、洗濯乾燥機１００の電源投入後、接続ダクト４９の接続検知がなかった場合には通常の洗濯コースに移行する（Ｓ０２５）。
なお、接続ダクト４９の接続検知はホール素子（図示せず）などを用いて行えばよい。また、外部除湿機５０は通常の吹出し口ではなく接続口５１が吹出し口となるように風路切替を行う。
【００１６】
操作パネル上でユーザが連動運転モードを選択、運転を開始すると（Ｓ０４０）、接続ダクト４９は外部除湿機５０の接続口５１にロック（図示せず）され（Ｓ０５０）、振動などで外れないように固定される。
洗濯乾燥機１００側で連動運転が選択されなくても、外部除湿機５０側から連動運転の設定があった場合には、その信号を受信し連動運転を実施する（Ｓ０４５）。
その後、洗濯モード洗濯工程（Ｓ０６０）に進み、洗濯コースが洗濯されれば通常の洗濯工程、すすぎ工程、脱水工程などの洗濯運転を実施する（Ｓ０７０）。一方、洗濯コースが選択されない場合は乾燥工程へ移行する（Ｓ０８０）。
なお、洗い工程から脱水工程終了までは、洗濯乾燥機１００から外部除湿機５０に対して、電力の供給は行なわず、電力を消費しないようにする（Ｓ０６５）。
【００１７】
乾燥工程に入ると、外部除湿機５０への電力供給が停止状態である場合は電力の供給と信号の送受信を開始する（Ｓ０７５）。乾燥工程では、はじめに接続ダクト４９の接続検知を実施し、何らかの要因により接続ダクト４９が接続口５１から外れたりしていないかを確認し、しっかり留まっている場合に限り乾燥運転を開始する。
接続ダクト４９の接続検知をすることによって、外れた状態での運転を防止する。なお、接続ダクト４９が外れていた場合には洗濯乾燥機１００に設置されたヒータ１７を用いた乾燥工程に移行する（Ｓ０９５）。
【００１８】
接続ダクト４９の接続が検知されたら接続ダクト４９をロックして固定し（Ｓ１００）、連動運転を開始する。その際、連動運転にはユーザが工程Ｓ０４０において選択する「弱運転モード」と「強運転モード」とが用意されている。
強運転モードを選択された場合には、洗濯乾燥機１００のヒータ１７と外部除湿機５０とが両方運転される（Ｓ１１０）。
一方、弱運転モードが選択されていた場合には、熱源は外部除湿機５０のみの運転とし、洗濯乾燥機１００のヒータ１７は停止（ＯＦＦ）して（Ｓ１１５）、モータ１１の駆動による洗濯兼脱水槽５の攪拌と、ファンモータ１５の運転のみ行う。このときの回転速度は通常の乾燥工程と同様にパルセータ４は低速回転でもよいし、脱水工程と同様の高速回転でも乾燥することができる。
【００１９】
強運転モードでは、洗濯乾燥機１００のヒータ１７のみの乾燥に比べて、被乾燥物に与える熱量が多くなり、送風の湿度も低くなるので、被乾燥物の水分が蒸発しやすく、乾燥スピードが早くなる。
一方、弱運転モードにおいては、外部除湿機５０のヒータ容量は洗濯乾燥機１００のヒータ１７の容量よりも一般的に少ないが、低湿度の風で乾燥することができるので少ない消費電力で済み、乾燥スピードは洗濯乾燥機１００とほぼ同等である。よって、低温で乾燥するため、布痛みや縮みを低減することができる。
【００２０】
乾燥工程は、従来のように排気ダクトに設置された温度センサ（図示せず）によって検知した排気温度が、恒率乾燥期の終了時点より所定の温度以上に上昇した時点を終了と判断してもよいし（特許文献１参照）、負荷量の検知を行って、運転開始時の負荷量よりも軽くなった時点で判断してもよい。
あるいは、外部除湿機５０に設けられている湿度センサを用いて終了検知を行ってもよい。すなわち、温度センサによる終了処理では、湿度を検知することができないため、湿度が高い場合には、まだ衣類に水が残っている可能性があるが、湿度センサにより湿度を検知することにより、精度の高い乾燥終了検知を行うことができる。
終了条件が成立した場合には運転を終了し（Ｓ１２５）、洗濯乾燥機１００、外部除湿機５０とも電源をＯＦＦする。
一方、終了条件が成立しない場合は再びダクトの接続検知に戻り（Ｓ１３０）、途中で接続ダクト４９が外れたときなどはすぐに連動運転を終了し、通常の洗濯乾燥機１００の乾燥工程に移行する（Ｓ０９５）。
【００２１】
以上のように、本実施の形態１の洗濯乾燥機１００においては、洗濯乾燥機１００のヒータ１７と外部除湿機５０とからの除湿風を両用する強運転モードでは、乾燥時間を短縮する効果が得られる。一方、外部除湿機５０の除湿風のみを使用する弱運転モードでは、衣類の傷みや縮みを低減することができる。
さらに、外部除湿機５０の電源入り切りを洗濯乾燥機１００側から操作することができるので無駄な電力を使用しなくて済み、あわせて接続ダクトの接続検知を行うことで、外れたときには外部除湿機５０を停止することができる。
【００２２】
また、洗濯乾燥機１００および外部除湿機５０双方の信号授受を行うことで、例えば、外部除湿機５０の貯水タンク（図示しない）が満水になり、外部除湿機５０の除湿運転ができなくなったときには、洗濯乾燥機１００のヒータ１７を通電（ＯＮ）し、洗濯乾燥機１００の乾燥工程に切り替えたりすることができる。したがって、乾燥スピード、乾燥仕上がりなどがよくなるので、乾燥性能が向上するという効果がある。
さらに、接続ダクト４９を洗濯機内に設置することで、接続ダクト４９が紛失したりすることもなく、使いたいときに使えるので使い勝手がよい。また、接続ダクト４９は取り外しできる別部品として構成してもよい。
また、接続ダクト４９の出口（水槽２側）は入口側（筐体１側）よりも低い位置に設置してもよく、これにより接続ダクト４９への洗濯水の流入を防止することができる。
【００２３】
図１１において、制御系１１０は、入力インターフェース１２０と、ＣＰＵ１３０と、出力インターフェース１４０と、メモリー１５０と、クロック制御部１６０と、を有している。
入力インターフェース１２０には、電源情報（スイッチのＯＮ／ＯＦＦ情報、電源ＳＷと称す）１２１、蓋の開閉情報（蓋ＳＷと称す）１２２、ユーザの操作情報（操作ＳＷと称す）１２３、各インターロック情報（安全ＳＷと称す）１２４、等が入力され、これが、ＣＰＵ１３０に出力される。
出力インターフェース１４０には、ＣＰＵ１３０からの入力を、乾燥用ファンの運転指令１４１、１４２、モータの運転指令１４３、排水弁の開閉指令１４４、給水弁の開閉指令１４５、および、各種ロック機構の動作指令１４６、として出力する。
なお、クロック制御部１６０にはタイマ１６１が接続されている。
【００２４】
［実施の形態２：開放風路型］
図６および図７は、本発明の実施の形態２に係る洗濯乾燥機を模式的に説明するものであって、図６は拡大断面図、図７は洗濯機外部除湿機連動概略図である。なお、実施の形態１では、衣類乾燥手段と循環風路とを有する洗濯乾燥機１００を例示しているが、実施の形態２では、衣類乾燥手段および循環風路を持たない洗濯乾燥機２００について説明する。なお、実施の形態１と同じ部分または相当する部分にはこれと同じ符号を付し、一部の説明を省略する。
【００２５】
図６において、洗濯乾燥機２００は循環風路を持たないが、水槽２の側面に水槽口４３が設けられている。接続された中に信号線（図示せず）を備えた接続ダクト４９が水槽口４３に接続され、筐体口４２を貫通して、外部除湿機５０の接続口５１に接続されている。
したがって、外部除湿機５０から洗濯兼脱水槽５の内部に除湿風が吹き込まれ、外蓋９に設けられた排気口１９から排出される。その際、洗濯乾燥機２００の設置場所周辺の湿度は洗濯衣類の乾燥進行に影響を受け、例えば、乾燥初期では衣類に含まれる水分が多いため、熱風との熱交換も多くなり、排出された空気は低温多湿であり、周囲環境（洗濯乾燥機２００および外部除湿機５０の周囲に同じ）も低温多湿となる。一方、乾燥が進行してくると、排気に含まれる水分も減り熱交換効率も悪くなるので、排出された空気は高温低湿となる。
【００２６】
洗濯乾燥機１００での乾燥終了検知は、例えば実施の形態１で示したように温度のみで判断するが、洗濯乾燥機２００では、外部除湿機５０に備えられた湿度センサ（図示しない）によって排出された空気の湿度を検知し、その情報を洗濯乾燥機２００に送ることによって精度の高い乾燥終了検知を可能としている。
すなわち、このような構成をとれば乾燥機能をもたない洗濯乾燥機２００においても、洗濯兼脱水槽５に温風を吹き込むことができるので乾燥機能を付加することができる。この場合、洗濯乾燥機１００における弱運転モードと同等の乾燥効果が得られる。
また、乾燥機能付きの洗濯乾燥機は高価であるから、それ１台購入するよりも乾燥機能のない洗濯乾燥機２００と外部除湿機５０の２台の方が安価に乾燥機能を付加することができる。さらに、乾燥機能の使用頻度は低いので、使用しないときは洗濯乾燥機２００から分離して収納しておくか、外部除湿機５０の本体の機能である、部屋の除湿や、部屋干しに使うことができる。
【００２７】
［実施の形態３〜５］
図８〜図１０は本発明の実施の形態３〜５に係る洗濯乾燥機を模式的に説明するものであって、図８の（ａ）は実施の形態３の横断面図、図８の（ｂ）は実施の形態３の洗濯機外部除湿機連動概略図、図９は実施の形態４の横断面図、図１０は実施の形態５の部分の拡大断面図である。なお、実施の形態１、２と同じ部分または相当する部分にはこれと同じ符号を付し、一部の説明を省略する。
【００２８】
図８において、実施の形態３に係る洗濯乾燥機３００では、水槽２の上面に水槽口４４が設けられ、水槽口４４に接続された接続ダクト４９は、トップカバー１０に設けられたトップカバー口４５を通過している。
【００２９】
図９において、実施の形態４に係る洗濯乾燥機４００では、排水ホース３０の排水弁３２よりも上部に接続ダクト４９が接続され、該接続部には切替弁３３が設置されている。
したがって、排水弁３２を閉じて、切替弁３３を接続ダクト４９側が開通するように切り替えれば、水槽２の底面から洗濯兼脱水槽５の内部に除湿風が吹き込まれる。
【００３０】
図１０において、実施の形態５に係る洗濯乾燥機５００では、筐体１の側面に設けられた筐体口４２に、接続ダクト蓋６０ａ、６０ｂが回動自在に設置されている。接続ダクト蓋６０ａ、６０ｂは回動手段（たとえば、ヒンジ）６１ａ、６１ｂによって支持され、倒伏方向に付勢手段（たとえば、バネ）によって付勢され、いわゆる観音開きの扉である。
したがって、接続ダクト４９を筐体１の内部に収納したとき、接続ダクト蓋６０ａ、６０ｂは倒伏して筐体口４２を塞ぐから、洗濯乾燥機５００の外観は平坦で単純になり、意匠性が向上する。また、接続ダクト４９を筐体１から引き出した場合には、接続ダクト蓋６０ａ、６０ｂは起立するだけで、筐体１から離脱しないから、散逸して紛失することがない。
よって、使い勝手が向上する。また、洗濯乾燥機５００の外観は平坦で単純になり、意匠性が向上する。
なお、洗濯乾燥機５００の接続ダクト蓋６０ａ、６０ｂは、実施の形態１〜４（洗濯乾燥機１００〜４００）の何れにも設置することができるものである。
【産業上の利用可能性】
【００３１】
発明は以上の構成により、着脱自在に接続される外部除湿機を利用した乾燥機能を有し、簡潔な構造で使い勝手も良く、製品価格もランニングコストも安価であるから、家庭用および業務用の各種洗濯乾燥機として広く利用することができる。
【図面の簡単な説明】
【００３２】
【図１】本発明の実施の形態１に係る洗濯乾燥機を模式的に説明する横断面図。
【図２】図１に示す洗濯乾燥機の正面断面拡大図。
【図３】図１に示す洗濯乾燥機における洗濯機外部除湿機連動概略図。
【図４】図１に示す洗濯乾燥機における連動運転を説明するフローチャート。
【図５】図１に示す洗濯乾燥機における各部品の動きを表したタイムチャート。
【図６】本発明の実施の形態２に係る洗濯乾燥機を模式的に説明する拡大断面図
【図７】図６に示す洗濯乾燥機を模式的に説明する洗濯機外部除湿機連動概略図。
【図８】本発明の実施の形態３に係る洗濯乾燥機を模式的に説明する横断面図。
【図９】本発明の実施の形態４に係る洗濯乾燥機の洗濯機外部除湿機連動概略図。
【図１０】本発明の実施の形態５に係る洗濯乾燥機の部分の拡大断面図。
【図１１】図１に示す洗濯乾燥機の制御系の構成を示すブロック線図。
【符号の説明】
【００３３】
１：筺体、２：水槽、３：吊棒、４：パルセータ、５：洗濯兼脱水槽、６：バランサー、７：水槽カバー、８：内蓋、９：外蓋、１０：トップカバー、１１：モータ、１５：ファンモータ、１６：送風ダクト、１７：ヒータ、１９：排気口、３０：排水ホース、３１：排水口、３２：排水弁、３３：切替弁、４０：風路、４１：風路口、４２：筐体口、４３：水槽口、４４：水槽口、４５：トップカバー口、４８：操作パネル、４９：接続ダクト、５０：外部除湿機、５０：外部除湿機、５１：接続口、５２：コンセント、５３：操作パネル、５４：プラグ、６０ａ：接続ダクト蓋、６０ｂ：接続ダクト蓋、６１ａ：回動手段、６１ｂ：回動手段、６２ａ：付勢手段、６２ｂ：付勢手段、１００：洗濯乾燥機（実施の形態１）、２００：洗濯乾燥機（実施の形態２）、３００：洗濯乾燥機（実施の形態３）、４００：洗濯乾燥機（実施の形態４）、５００：洗濯乾燥機（実施の形態５）。
【図１】
2008302020.tif 000003
【図２】
2008302020.tif 000004
【図３】
2008302020.tif 000005
【図４】
2008302020.tif 000006
【図５】
2008302020.tif 000007
【図６】
2008302020.tif 000008
【図７】
2008302020.tif 000009
【図８】
2008302020.tif 000010
【図９】
2008302020.tif 000011
【図１０】
2008302020.tif 000012
【図１１】
2008302020.tif 000013